(57)【特許請求の範囲】
【請求項１】
ディジタル放送により放送する番組に関する番組ガイドのための情報を送信するディジタル放送方法において、
番組ガイド用映像を生成するステップと、
上記番組ガイド用映像の識別，番組ガイド用音声の識別，および番組ガイド用文字の識別，並びに映像についての圧縮方式および画面サイズ，音声についての圧縮方式を含む情報と、番組ガイド用映像パケットのパケット識別子，番組ガイド用音声パケットのパケット識別子，および番組ガイド用文字パケットのパケット識別子を含む情報とからなる記述子を生成するステップと、
上記記述子を当該記述子以外の記述子とともに配置してイベント情報テーブル（ＥＩＴ）を生成するステップと、
上記イベント情報テーブル（ＥＩＴ）と当該イベント情報テーブル（ＥＩＴ）以外のテーブルとを多重化して番組配列情報（ＳＩ）を構成するステップとを有することを特徴とするディジタル放送方法。
【請求項２】
ディジタル放送により放送する番組に関する番組ガイドを送信するディジタル放送システムにおいて、
提供する番組ガイドのための映像を生成する番組ガイド用映像生成手段と、
上記番組ガイド用映像の識別，番組ガイド用音声の識別，および番組ガイド用文字の識別，並びに映像についての圧縮方式および画面サイズ，音声についての圧縮方式を含む情報と、番組ガイド用映像パケットのパケット識別子，番組ガイド用音声パケットのパケット識別子，および番組ガイド用文字パケットのパケット識別子を含む情報とからなる記述子を生成する生成手段と、
上記記述子を当該記述子以外の記述子とともに配置してイベント情報テーブル（ＥＩＴ）を生成するＥＩＴ生成手段と、
上記イベント情報テーブル（ＥＩＴ）と当該イベント情報テーブル（ＥＩＴ）以外のテーブルとを多重化して番組配列情報（ＳＩ）を構成するＳＩ多重化手段とを有することを特徴とするディジタル放送システム。
【請求項３】
ディジタル放送により送信側から放送される，番組に関する番組ガイド用映像と、該番組ガイド用映像の識別，番組ガイド用音声の識別，および番組ガイド用文字の識別，映像についての圧縮方式および画面サイズ，音声についての圧縮方式を含む番組タイプ情報，並びに番組ガイド用映像パケットのパケット識別子，番組ガイド用音声パケットのパケット識別子，および番組ガイド用文字パケットのパケット識別子を含むパケット情報からなる記述子をイベント情報テーブル（ＥＩＴ）に配置した番組配列情報とを受信するディジタル放送受信装置において、
トランスポートストリームの信号を受信し、該信号のディジタル変調を復調し、ビット誤りを正す受信手段と、
上記イベント情報テーブル（ＥＩＴ）から上記記述子を抽出して上記番組タイプ情報を識別し、上記パケット情報を解析して該パケット情報より，それぞれ上記番組ガイド用映像パケット，上記番組ガイド用音声パケットおよび上記番組ガイド用文字パケットを抽出する制御手段と、
上記制御手段からの指示を受けて上記トランスポートストリームから上記イベント情報テーブル（ＥＩＴ）を抽出するトランスポートデコード手段と、
抽出された番組ガイド用映像パケットの信号を映像に復号する番組ガイド用映像デコード手段と、
抽出された番組ガイド用文字パケットの信号を文字に復号する番組ガイド用文字デコード手段と、
上記番組ガイド用映像および上記番組ガイド用文字を配置して画面を作成する映像合成手段と、
抽出された番組ガイド用音声パケットの信号を音声に復号する番組ガイド用音声デコード手段とを備えたことを特徴とするディジタル放送受信装置。
【請求項４】
請求項３に記載のディジタル放送受信装置において、
上記制御手段により抽出された番組ガイド用映像パケット，番組ガイド用文字パケットおよび番組ガイド用音声パケットの信号を蓄える蓄積手段をさらに備えたことを特徴とするディジタル放送受信装置。
【請求項５】
請求項３に記載のディジタル放送受信装置において、
上記制御手段は、任意の番組を購入あるいは予約する旨の選択があったとき、当該番組についての上記番組ガイド用映像パケット，上記番組ガイド用音声パケットおよび上記番組ガイド用文字パケットを抽出し、
上記映像合成手段は、上記制御手段により抽出された番組ガイド用映像および番組ガイド用文字を表示画面に配置するものであることを特徴とするディジタル放送受信装置。
【請求項６】
請求項３に記載のディジタル放送受信装置において、
上記映像合成手段は、時間軸およびチャンネル軸を有する複数の番組についての情報を記載した番組表を作成し、
画面表示された上記番組表上で、任意の番組を選択することによって番組ガイドを表示するものであることを特徴とするディジタル放送受信装置。
【請求項７】
請求項６に記載のディジタル放送受信装置において、
上記映像合成手段は、上記番組表表示画面の一部に上記番組ガイド用映像および上記番組ガイド用文字を配置するものであることを特徴とするディジタル放送受信装置。
【発明の詳細な説明】
【０００１】
【発明の属する技術分野】
本発明は、ディジタル放送において、放送する番組に関する情報を送信するディジタル放送方法およびシステム，並びに上記情報に基づいて番組ガイドを作成，提示するディジタル放送受信装置に関するものである。
【０００２】
【従来の技術】
ディジタル放送においては、データサービスの１つとして、番組表や個々の番組の内容に関する情報などが記述された電子番組ガイドを提供している。該電子番組ガイドは、送信側からデータとして伝送されるチャンネル番号，チャンネル名，番組名，スケジュールなどを、受信側で時間軸とチャンネル軸をもった番組表として画面上に表示するものである。該番組表には、さらに番組によって番組のあらすじや出演者などの番組紹介情報を表示するものもある。
【０００３】
ところで、ディジタル放送では、番組として数百のチャンネルを提供することが可能であり、現実に、多チャンネル化の動きが加速している。多チャンネルになれば、視聴者にとっては、番組の選択肢が増えるという利点があると同時に、番組選択がきわめて困難になるという不都合が生じる。すなわち、数百ものチャンネルになると、新聞やテレビ雑誌などで供給される番組情報を見てチャンネルを選択する方法では、視聴者は膨大な活字の情報から所望の番組を決定し、該番組のチャンネル番号をリモコンに入力するなどしなければならず、煩雑な動作が要求されることになる。そこで、上記番組表に記載された情報から所望の番組を決定し、該番組表上の当該番組にカーソルを示して、該番組表上で直接、選局や予約の操作を行なうものとすれば、操作は簡略化される。
【０００４】
【発明が解決しようとする課題】
しかしながら、従来の番組表においては、上述のように文字による情報しか得られず、一通り読まなければ番組内容なども把握することはできず、この点で視聴者の負担は新聞などを用いる場合と同じである。
【０００５】
また、多チャンネル化にともなって有料番組も増えることになり、この有料番組を選択する際には特に、真に視聴する価値のある番組か否かを的確に判断しなければ、視聴者は無駄な番組を購入してしまうことになる。番組提供者側においても、視聴者が任意の番組の番組情報を見ることによって、当該番組を購入してみようと思うような、宣伝効果のある的確な番組情報を提示して、数多くの番組から当該番組を購入してもらうことが必要になる。
【０００６】
さらに、上記番組表のように、時間軸とチャンネル軸をもって多くの番組についての情報が画面上に表示されているだけでは、多チャンネルの場合、該情報を把握し難く、容易に番組選択ができる番組表とはいえない。したがって、多チャンネルに対応した表示を考慮した番組表を提供する必要も生じる。
【０００７】
本発明は、かかる問題点を解決するためになされたもので、ディジタル放送において、多チャンネルに対応した電子番組ガイドを提供するためのデータを送信するディジタル放送方法およびシステム，並びに該データに基づいて電子番組ガイドを作成，提示するデータ放送受信装置を提供することを目的とする。
【０００８】
【課題を解決するための手段】
上記課題を解決するために、本発明（請求項１）にかかるディジタル放送方法は、ディジタル放送により放送する番組に関する番組ガイドのための情報を送信するディジタル放送方法において、番組ガイド用映像を生成するステップと、上記番組ガイド用映像の識別，番組ガイド用音声の識別，および番組ガイド用文字の識別，並びに映像についての圧縮方式および画面サイズ，音声についての圧縮方式を含む情報と、番組ガイド用映像パケットのパケット識別子，番組ガイド用音声パケットのパケット識別子，および番組ガイド用文字パケットのパケット識別子を含む情報とからなる記述子を生成するステップと、上記記述子を当該記述子以外の記述子とともに配置してイベント情報テーブル（ＥＩＴ）を生成するステップと、上記イベント情報テーブル（ＥＩＴ）と当該イベント情報テーブル（ＥＩＴ）以外のテーブルとを多重化して番組配列情報（ＳＩ）を構成するステップとを有するものである。
【０００９】
また、本発明（請求項２）にかかるディジタル放送システムは、ディジタル放送により放送する番組に関する番組ガイドを送信するディジタル放送システムにおいて、提供する番組ガイドのための映像を生成する番組ガイド用映像生成手段と、上記番組ガイド用映像の識別，番組ガイド用音声の識別，および番組ガイド用文字の識別，並びに映像についての圧縮方式および画面サイズ，音声についての圧縮方式を含む情報と、番組ガイド用映像パケットのパケット識別子，番組ガイド用音声パケットのパケット識別子，および番組ガイド用文字パケットのパケット識別子を含む情報とからなる記述子を生成する生成手段と、上記記述子を当該記述子以外の記述子とともに配置してイベント情報テーブル（ＥＩＴ）を生成するＥＩＴ生成手段と、上記イベント情報テーブル（ＥＩＴ）と当該イベント情報テーブル（ＥＩＴ）以外のテーブルとを多重化して番組配列情報（ＳＩ）を構成するＳＩ多重化手段とを有するものである。
【００１０】
また、本発明（請求項３）にかかるディジタル放送受信装置は、ディジタル放送により送信側から放送される，番組に関する番組ガイド用映像と、該番組ガイド用映像の識別，番組ガイド用音声の識別，および番組ガイド用文字の識別，映像についての圧縮方式および画面サイズ，音声についての圧縮方式を含む番組タイプ情報，並びに番組ガイド用映像パケットのパケット識別子，番組ガイド用音声パケットのパケット識別子，および番組ガイド用文字パケットのパケット識別子を含むパケット情報からなる記述子をイベント情報テーブル（ＥＩＴ）に配置した番組配列情報とを受信するディジタル放送受信装置において、トランスポートストリームの信号を受信し、該信号のディジタル変調を復調し、ビット誤りを正す受信手段と、上記イベント情報テーブル（ＥＩＴ）から上記記述子を抽出して上記番組タイプ情報を識別し、上記パケット情報を解析して該パケット情報より，それぞれ上記番組ガイド用映像パケット，上記番組ガイド用音声パケットおよび上記番組ガイド用文字パケットを抽出する制御手段と、上記制御手段からの指示を受けて上記トランスポートストリームから上記イベント情報テーブル（ＥＩＴ）を抽出するトランスポートデコード手段と、抽出された番組ガイド用映像パケットの信号を映像に復号する番組ガイド用映像デコード手段と、抽出された番組ガイド用文字パケットの信号を文字に復号する番組ガイド用文字デコード手段と、上記番組ガイド用映像および上記番組ガイド用文字を配置して画面を作成する映像合成手段と、抽出された番組ガイド用音声パケットの信号を音声に復号する番組ガイド用音声デコード手段とを備えたものである。
【００１１】
また、本発明（請求項４）にかかるディジタル放送受信装置は、請求項３に記載のディジタル放送受信装置において、上記制御手段により抽出された番組ガイド用映像パケット，番組ガイド用文字パケットおよび番組ガイド用音声パケットの信号を蓄える蓄積手段をさらに備えたものである。
【００１２】
また、本発明（請求項５）にかかるディジタル放送受信装置は、請求項３に記載のディジタル放送受信装置において、上記制御手段は、任意の番組を購入あるいは予約する旨の選択があったとき、当該番組についての上記番組ガイド用映像パケット，上記番組ガイド用音声パケットおよび上記番組ガイド用文字パケットを抽出し、上記映像合成手段は、上記制御手段により抽出された番組ガイド用映像および番組ガイド用文字を表示画面に配置するものである。
【００１３】
また、本発明（請求項６）にかかるディジタル放送受信装置は、請求項３に記載のディジタル放送受信装置において、上記映像合成手段は、時間軸およびチャンネル軸を有する複数の番組についての情報を記載した番組表を作成し、画面表示された上記番組表上で、任意の番組を選択することによって番組ガイドを表示するものである。
【００１４】
また、本発明（請求項７）にかかるディジタル放送受信装置は、請求項６に記載のディジタル放送受信装置において、上記映像合成手段は、上記番組表表示画面の一部に上記番組ガイド用映像および上記番組ガイド用文字を配置するものである。
【００１５】
【発明の実施の形態】
以下、本発明の実施の形態を添付図面に基づき詳細に説明する。
実施の形態１．
図１は本発明の実施の形態１によるディジタル放送方法における送信側の構成の概略を示すブロック図である。図において、１１は番組配列情報（ＳＩ）を生成する番組配列情報生成部、１２は番組の映像とは別に、受信側で作成する電子番組ガイドのための映像を生成する番組ガイド用映像生成部、１３は同じく音声を生成する番組ガイド用音声生成部、１４は同じく文字を生成する番組ガイド用文字生成部、１５は放送番組のための映像を生成する番組用映像生成部、１６は同じく音声を生成する番組用音声生成部、１７は番組配列情報生成部１１，番組ガイド用映像生成部１２，番組ガイド用音声生成部１３，番組ガイド用文字生成部１４，番組用映像生成部１５，及び番組用音声生成部１６でそれぞれ生成された番組配列情報（ＳＩ），番組ガイド用映像，番組ガイド用音声，番組ガイド用文字，番組用映像，及び番組用音声を多重化して１本のトランスポートストリームにする多重化部、１８はトランスポートストリームのディジタル情報を搬送波に乗せる変調器、１９は搬送波を通信衛星等を介して受信側に伝送するアンテナである。
【００１６】
図２は、図１における番組配列情報生成部の構成を示すブロック図である。図において、２１は後述するデータ構造を有するpromotion descriptorを生成するpromotion descriptor生成部、２２はpromotion descriptor以外の，イベント情報テーブル（ＥＩＴ）に配置するdescriptorを生成するその他のdescriptor生成部、２３はpromotion descriptorおよびその他のdescriptorを配置してＥＩＴを生成するＥＩＴ生成部、２４は番組配列情報（ＳＩ）を構成する，ＥＩＴを除くその他のテーブルを生成するその他のテーブル生成部、２５はＥＩＴおよびその他のテーブルを多重化して番組配列情報（ＳＩ）を構成するＳＩ多重化部である。
【００１７】
ここで、上記番組配列情報（ＳＩ），イベント情報テーブル（ＥＩＴ），及びその他のテーブルについては、社団法人電波産業会の規格で定義されているものである。簡単に説明すると、上記番組配列情報（ＳＩ）では、ユーザがサービスやイベントを識別するために必要なデータの符号化が定義されている。このデータは６つのテーブルで構成され、その１つがＥＩＴであり、残りの５つが上記その他のテーブルである。該ＥＩＴは、イベント名，開始時刻，継続時間など、イベントやプログラムに関するデータを含み、異なる記述子を使うことにより異なる種類のイベント情報の伝送を可能とする。そこで、本発明の実施の形態１においては、該ＥＩＴにpromotion descriptorなる記述子を設定して、これを使用して番組ガイド用映像，音声，文字などを識別するためのデータを配置する。
【００１８】
図３は、図２のpromotion descriptor生成部において番組配列情報（ＳＩ）のイベント情報テーブル（ＥＩＴ）に配置するデータの構造を示す図である。図において、３１はpromotion descriptorであり、上述のように番組ガイド用映像，音声，文字などを識別するデータを記述するために設定した記述子である。３２は社団法人電波産業会の規格で記述することが規定され、promotion descriptorの識別番号を示したり、後続の記述子の全バイト長を規定している。３３はpromotion typeであり、番組ガイド用映像，音声，文字などの識別、さらに映像についての圧縮方式（ＭＰＥＧ１，ＭＰＥＧ２，ＪＰＥＧなど）や画面サイズ，音声についての圧縮方式（ＭＰＥＧ１，ＭＰＥＧ２，Dolby ＡＣ３など）の記述を含んでいる。３４はpromotion PID であり、番組ガイド用映像パケット，番組ガイド用音声パケットおよび番組ガイド用文字パケットのパケット識別子（ＰＩＤ）の記述を含む。
【００１９】
次に送信側装置の動作について図１および図２に沿って説明する。
まず、promotion descriptor生成部２１において、図３に示したデータ構造を有するpromotion descriptorを生成する。該promotion descriptorを、その他のdescriptor生成部２２で生成したdescriptorとともに配置して、ＥＩＴ生成部２３にてＥＩＴを生成する。該ＥＩＴと、その他のテーブル生成部２４で生成したテーブルとを、ＳＩ多重化部２５で多重化して番組配列情報（ＳＩ）を構成する。以上、番組配列情報生成部１１における動作を説明した。また、番組ガイド用の映像，音声および文字が、それぞれ番組ガイド用映像生成部１２，番組ガイド用音声生成部１３および番組ガイド用文字生成部１４で生成され、番組用の映像および音声は、それぞれ番組用映像生成部１５および番組用音声生成部１６で生成される。生成された番組配列情報（ＳＩ）、番組ガイド用映像，音声および文字、並びに番組用映像および音声は、多重化部１７で多重化されて１本のトランスポートストリームとして変調器１８に送られる。変調器１８は該トランスポートストリームの情報を搬送波に乗せ、該搬送波はアンテナ１９から通信衛星を介して受信側に伝送される。
【００２０】
なお、該トランスポートストリームには４〜８チャンネル程度の番組が多重化されるので、番組用映像生成部１５および番組用音声生成部１６は、それぞれ番組数だけ必要である。
【００２１】
ここで、上記トランスポートストリームの模式図を図４に示す。図４のように、上記ＥＩＴ，上記番組ガイド用映像，上記番組用映像などが、それぞれのパケットにマッピングされ、各パケットのヘッダには当該パケットを識別可能なＰＩＤが記述されている。上述のようにＥＩＴに配置されたpromotion descriptorのpromotion PID には、番組ガイド用映像パケット，番組ガイド用音声パケットおよび番組ガイド用文字パケットのＰＩＤが記述されているので、該ＥＩＴは、各パケットのＰＩＤを見て、番組ガイド用映像，番組ガイド用音声および番組ガイド用文字の各パケットの所在を確認できる。なお、上記番組配列情報（ＳＩ）のその他のテーブルについては、本発明の実施の形態１では要旨ではないので図中には示さなかったが、ＥＩＴと同様それぞれのパケットにマッピングされる。
【００２２】
また、多重化部１７および変調器１８はトランスポートストリームの数だけ必要になり、番組配列情報生成部１１や番組ガイド用映像生成部１２なども多重化部１７に対応する数だけ用意される。この複数の変調器１８からの搬送波を１つのアンテナ１９から伝送して、数十から数百ものチャンネルで番組を提供する。
【００２３】
したがって、受信側で、どのトランスポートストリームを選択しているときでも、提供されるすべてのチャンネルについての番組ガイドを参照できるように、各トランスポートストリームに、すべてのチャンネルについての番組ガイド用映像，音声および文字、並びにこれらのためのpromotion descriptorを配置したＥＩＴをマッピングする。ちなみに、各トランスポートストリームに、当該トランスポートストリームに含まれる４〜８のチャンネルについての番組ガイド用映像，音声および文字，並びにこれらのためのpromotion descriptorを配置したＥＩＴをパケットにマッピングした場合でも、提供されるすべてのチャンネルについての番組ガイドを参照することは可能である。たとえば、視聴者が、あるトランスポートストリームに含まれるチャンネルの番組ガイドを参照した後、別のトランスポートストリームに含まれるチャンネルの番組ガイドを参照するとき、そのトランスポートストリームに切り替わるようにすればよい。
【００２４】
このように、本発明の実施の形態１によるディジタル放送方法では、送信側において、ＥＩＴにpromotion descriptorなる記述子を設定して、番組ガイド用映像，音声および文字を識別するためのデータを配置した番組配列情報（ＳＩ）を送信するものとしたから、これらの情報を受信側で利用すれば、映像を含む番組ガイドを提供することができるので、視聴者は番組内容を的確に判断して無駄な番組を購入することがなく、番組提供者側においても宣伝効果のある的確な番組情報を提示することができる。
【００２５】
実施の形態２．
図５は本発明の実施の形態２によるディジタル放送受信装置の構成を示す図であり、図において、５１はディジタル衛星放送を受信するパラボラアンテナであり、１つのトランスポートストリームの信号を受信する受信部、５２はディジタル変調を受けた信号を復調する復調部、５３はディジタル放送のビット誤りを正すための誤り訂正符号を使用して、伝送路の誤りを正すＦＥＣ部、５４はトランスポートストリームからＥＩＴを抽出するトランスポートデコード部であり、５５はＥＩＴからpromotion descriptorを抜き出すことによってpromotion のパケットがあるか否かを確認する制御部、５６，５７および５８は制御部５５によりトランスポートストリームから抽出された番組ガイド用映像，文字および音声の信号を、それぞれ映像，文字および音声に変換する番組ガイド用映像デコード部，番組ガイド用文字デコード部および番組ガイド用音声デコード部、５９は番組ガイド用映像および文字を配置して画面を作成するＯＳＤ（On Screen Display ）である映像合成部、６０は映像合成部５９で作成された画面を表示する映像表示部、６１は番組ガイド用音声を出力するスピーカである音声出力部、６２は制御部５５により抽出された番組ガイド用映像，文字および音声の信号を蓄える蓄積部である。
【００２６】
次に動作について、図６に示す動作処理を説明するためのフローチャート図に沿って説明する。
番組の購入（あるいは予約）のため、視聴者がリモコンなどに入力すると（ステップ１）、受信部５１は１つのトランスポートストリームの信号を受信し、該信号のディジタル変調を復調部５２が復調し、ＦＥＣ部によってビット誤りが正されたトランスポートストリームから、制御部５５は入力内容を受けてトランスポートデコード部５４に選択された番組のＥＩＴを抽出するよう指示する。これは、各トランスポートストリームに、すべてのチャンネルについてのＥＩＴがマッピングされている場合であるが、各トランスポートストリームに、当該トランスポートストリームに含まれる４〜８のチャンネルについてのＥＩＴがマッピングされている場合には、制御部５５は受信部５１に対しても上記番組のＥＩＴを含むトランスポートストリームに切り替えるように指令を出さなければならない。トランスポートデコード部５４は、トランスポートストリームから上記番組のＥＩＴを抽出する（ステップ２）。制御部５５は抽出されたＥＩＴのpromotion descriptorを抽出してpromotion type，すなわち番組ガイド用映像，音声，文字などを識別し、promotion PID を解析する（ステップ３および４）。制御部５５は、promotion PID より、それぞれ番組ガイド用映像，音声および文字の入ったパケットを抽出し（ステップ５）、これらをトランスポートデコード部５４はそれぞれ番組ガイド用映像デコード部５６，番組ガイド用文字デコード部５７および番組ガイド用音声デコード部５８に出力する。番組ガイド用映像デコード部５６および番組ガイド用文字デコード部５７では、トランスポートデコード部５４からの信号をそれぞれ映像および文字に復号して、これらの映像および文字は、映像合成部５９で配置されて画面が作成される。また、番組ガイド用音声デコード部５８では、トランスポートデコード部５４からの信号を音声に復号して、音声出力部６１に出力する。映像合成部５９で作成された映像が映像表示部６０で表示されるとともに、音声出力部６１からは音声が出力されて、図７に示す番組ガイドが提供される（ステップ６）。
【００２７】
なお、上記番組ガイド用映像，音声および文字は、比較的頻繁に繰り返し送信されるが、常に送信されているわけではない。そこで、視聴者の入力に応じて即座に番組ガイドを提示できるように、制御部５５はステップ５において、抽出したパケットの信号を蓄積部６２に蓄えておく。視聴者の入力があったとき、制御部５５が蓄積部６２に蓄えられた信号をトランスポートデコード部５４に出力した後、上記ステップ６の動作を行なう。
【００２８】
図７に示す番組ガイドは、上記動作のように、視聴者が番組購入などを選択したとき、番組を放映する前に一律に表示して、視聴者が番組内容を確認した上で番組購入などを決定して、無駄な購入などを無くすことができる。しかしながら、視聴者，あるいは番組によっては、番組内容を把握しているので番組ガイドを見ないで、すぐ番組を視聴したい場合もある。このような場合を考慮して、リモコンなどに「番組ガイドを見ない」というキーを設定するようにして、当該キーが押された場合には、番組ガイドを表示することなく、すぐに番組を放映するようにしてもよい。
【００２９】
このように、本発明の実施の形態２によるディジタル放送受信装置は、ＥＩＴのpromotion descriptorを抽出してpromotion typeを識別およびpromotion PID を解析し、該promotion PID より、それぞれ番組ガイド用映像，音声および文字の入ったパケットを抽出する制御部と、これらのパケットの信号を、それぞれ映像，文字および音声に変換する番組ガイド用映像デコード部，番組ガイド用文字デコード部および番組ガイド用音声デコード部とを備えた構成としたから、送信側から送信されるpromotion descriptorを利用して、映像を含む番組ガイドを提供することができるので、視聴者は番組内容を的確に判断して所望の番組を選択することができ、番組提供者側においても宣伝効果のある的確な番組情報を提示することができる。
【００３０】
また、番組を購入あるいは予約する旨の選択があったとき、当該番組についての番組ガイドを表示するものとしたので、視聴者は番組内容を的確に判断して無駄な番組を購入することがない。
また、送信される番組ガイド用映像，音声および文字を蓄える蓄積部をさらに備えた構成としたから、視聴者が番組ガイドを見たいときに、即座に番組ガイドを提示することが可能である。
【００３１】
実施の形態３．
実施の形態２によるディジタル放送受信装置では、リモコンなどに番組購入などの選択を入力した後、番組ガイドを表示するものとしたが、本実施の形態３によるディジタル放送受信装置においては、番組購入などの選択の前に番組表を表示し、番組表上で，所望の番組の番組ガイドを参照あるいは番組購入などを行なう場合について説明する。
【００３２】
図８は、本発明の実施の形態３によるディジタル放送受信装置において表示される番組ガイドの例を示す図である。図において、（ａ）はリモコンなどに設定された「番組表表示」のキーを押すことによって画面表示される番組表であって、時間軸とチャンネル軸をもち、この例では該当する位置に番組名のみ記載されている。（ｂ）は（ａ）の番組表において１００ＣＨで１２：００から放映される番組の番組ガイドを、当該番組の欄に表示したものである。（ｃ）は（ａ）の番組表における任意の番組の番組ガイドを、右下の子画面に表示したものである。（ｄ）は（ａ）の番組表における任意の番組の番組ガイドを、右端から５分の２位の画面に表示したものである。（ｅ）は（ａ）の番組表上の，番組ガイドが用意されている番組の欄に「ガイド」のアイコンを付して、該アイコンが付された任意の番組の番組ガイドを（ｄ）と同様に表示したものである。
【００３３】
本実施の形態３によるディジタル放送受信装置の構成は、実施の形態２において図５に示したものと全く同じであるので、図５に基づいて、図８に示した番組ガイドを表示する際の動作について説明する。
【００３４】
まず、視聴者がリモコンなどに設定された「番組表表示」のキーを押すことによって、（ａ）の番組表を画面に表示する。この動作については、ＭＰＥＧ規格によるＰＳＩデータを用い、従来の番組表を表示する場合と同様であるので、説明を省略する。画面表示された（ａ）の番組表上の番組名，たとえば１００ＣＨで１２：００から放映される番組の欄にカーソルを合わせるなどして、視聴者がリモコンなどに設けられた「番組ガイド表示」のキーを入力すると、制御部５５は入力内容を受けてトランスポートデコード部５４に上記カーソルで示された番組のＥＩＴを抽出するよう指示すると、トランスポートデコード部５４は、トランスポートストリームから上記番組のＥＩＴを抽出する。制御部５５は抽出されたＥＩＴのpromotion descriptorを抽出してpromotion typeを識別し、promotion PID を解析する。制御部５５は、promotion PID より、番組ガイド用映像の入ったパケットを抽出し、これをトランスポートデコード部５４は番組ガイド用映像デコード部５６に出力する。番組ガイド用映像デコード部５６では、トランスポートデコード部５４からの信号を映像に復号し、この映像は番組ガイド用映像７１として、映像合成部５９で上記番組表上の上記番組の欄に配置されて、画面が作成され、映像表示部６０で表示される（図８（ｂ））。
【００３５】
図８（ｃ）についても、画面表示された（ａ）の番組表上の任意の番組の欄にカーソルを合わせるなどして、視聴者がリモコンなどに設けられた「番組ガイド表示」のキーを入力すると、（ｂ）の番組ガイドを表示する場合と全く同様にして、番組ガイド用映像７１が映像合成部５９で配置されるが、上記番組表の画面右下部分に、該番組表に重ねて子画面として配置して画面が作成され、映像表示部６０で表示される（図８（ｃ））。
【００３６】
また、図８（ｄ）の番組ガイドを表示する場合、画面表示された（ａ）の番組表上の任意の番組の欄にカーソルを合わせるなどして、視聴者がリモコンなどに設けられた「番組ガイド表示」のキーを入力すると、制御部５５は入力内容を受けてトランスポートデコード部５４に選択された番組のＥＩＴを抽出するよう指示すると、トランスポートデコード部５４は、トランスポートストリームから上記番組のＥＩＴを抽出する。制御部５５は抽出されたＥＩＴのpromotion descriptorを抽出してpromotion type，すなわち番組ガイド用映像，音声，文字などを識別し、promotion PID を解析する。制御部５５は、promotion PID より、それぞれ番組ガイド用映像，音声および文字の入ったパケットを抽出し、これらをトランスポートデコード部５４はそれぞれ番組ガイド用映像デコード部５６，番組ガイド用文字デコード部５７および番組ガイド用音声デコード部５８に出力する。番組ガイド用映像デコード部５６および番組ガイド用文字デコード部５７では、トランスポートデコード部５４からの信号をそれぞれ映像および文字に復号して、これらの映像および文字は番組ガイド用映像７１および番組ガイド用文字７２として、映像合成部５９で（ａ）の番組表の右端から５分の２位に重ねて配置されて画面が作成される。一方、番組ガイド用音声デコード部５８では、トランスポートデコード部５４からの信号を音声に復号して、音声出力部６１に出力する。映像合成部５９で作成された画面が映像表示部６０で表示されるとともに、音声出力部６１からは番組ガイド用映像７１に合わせた音声などが出力される。
【００３７】
さらに、図８（ｅ）の番組ガイドを表示する場合、基本的に（ｄ）と同じであるが、視聴者がリモコンなどに設定された「番組表表示」のキーを押すことによって画面に表示される番組表において、番組ガイドが用意されている番組の欄に「ガイド」のアイコンが付されている点が異なる。すなわち、任意の番組の欄に付された「ガイド」のアイコンをポイントで示して選択キーなどを入力すると、当該番組についての番組ガイド用映像７１および番組ガイド用文字７２が表示される。一方、「ガイド」のアイコンが付されていない番組の欄をポイントで示しても、選択することはできないようになっている。
【００３８】
なお、上記番組表上で任意の番組を選択したとき、当該番組の番組ガイドを、該番組表を表示している画面の一部に提示するかわりに、実施の形態２に示した番組ガイド（図７参照）のように、該番組表を消去して表示画面全体に提示することも可能である。
【００３９】
このように、本発明の実施の形態３によるディジタル放送受信装置は、ＥＩＴのpromotion descriptorを抽出してpromotion typeを識別およびpromotion PID を解析し、該promotion PID より、それぞれ番組ガイド用映像，音声および文字の入ったパケットを抽出する制御部と、これらのパケットの信号を、それぞれ映像，文字および音声に変換する番組ガイド用映像デコード部，番組ガイド用文字デコード部および番組ガイド用音声デコード部とを備えた構成としたから、送信側から送信されるpromotion descriptorを利用して、映像を含む番組ガイドを提供することができるので、視聴者は番組内容を的確に判断して所望の番組を選択することができ、番組提供者側においても宣伝効果のある的確な番組情報を提示することができる。
【００４０】
また、番組表上で任意の番組を選択して、当該番組についての映像を含む番組ガイドを表示するものとしたので、簡略化した操作で、映像を含む視聴者にとって番組内容を把握し易い番組ガイドを提供することができる。
【００４１】
また、番組表表示画面の一部に番組ガイド用映像および番組ガイド用文字を配置するものとしたので、視聴者は番組表と番組ガイドとを同時に参照して、番組選択操作を容易にできる。
【００４２】
【発明の効果】
以上のように、本発明（請求項１）にかかるディジタル放送方法によれば、ディジタル放送により放送する番組に関する番組ガイドのための情報を送信するディジタル放送方法において、番組ガイド用映像を生成するステップと、上記番組ガイド用映像の識別，番組ガイド用音声の識別，および番組ガイド用文字の識別，並びに映像についての圧縮方式および画面サイズ，音声についての圧縮方式を含む情報と、番組ガイド用映像パケットのパケット識別子，番組ガイド用音声パケットのパケット識別子，および番組ガイド用文字パケットのパケット識別子を含む情報とからなる記述子を生成するステップと、上記記述子を当該記述子以外の記述子とともに配置してイベント情報テーブル（ＥＩＴ）を生成するステップと、上記イベント情報テーブル（ＥＩＴ）と当該イベント情報テーブル（ＥＩＴ）以外のテーブルとを多重化して番組配列情報（ＳＩ）を構成するステップとを有するものとしたから、これらの情報を受信側で利用すれば、映像を含む番組ガイドを提供することができるので、視聴者は番組内容を的確に判断して無駄な番組を購入することがなく、番組提供者側においても宣伝効果のある的確な番組情報を提示することができる効果がある。
【００４３】
また、本発明（請求項２）にかかるディジタル放送システムによれば、ディジタル放送により放送する番組に関する番組ガイドを送信するディジタル放送システムにおいて、提供する番組ガイドのための映像を生成する番組ガイド用映像生成手段と、上記番組ガイド用映像の識別，番組ガイド用音声の識別，および番組ガイド用文字の識別，並びに映像についての圧縮方式および画面サイズ，音声についての圧縮方式を含む情報と、番組ガイド用映像パケットのパケット識別子，番組ガイド用音声パケットのパケット識別子，および番組ガイド用文字パケットのパケット識別子を含む情報とからなる記述子を生成する生成手段と、上記記述子を当該記述子以外の記述子とともに配置してイベント情報テーブル（ＥＩＴ）を生成するＥＩＴ生成手段と、上記イベント情報テーブル（ＥＩＴ）と当該イベント情報テーブル（ＥＩＴ）以外のテーブルとを多重化して番組配列情報（ＳＩ）を構成するＳＩ多重化手段とを有するものとしたから、これらの情報を受信側で利用すれば、映像を含む番組ガイドを提供することができるので、視聴者は番組内容を的確に判断して無駄な番組を購入することがなく、番組提供者側においても宣伝効果のある的確な番組情報を提示することができる効果がある。
【００４４】
また、本発明（請求項３）にかかるディジタル放送受信装置によれば、ディジタル放送により送信側から放送される，番組に関する番組ガイド用映像と、該番組ガイド用映像の識別，番組ガイド用音声の識別，および番組ガイド用文字の識別，映像についての圧縮方式および画面サイズ，音声についての圧縮方式を含む番組タイプ情報，並びに番組ガイド用映像パケットのパケット識別子，番組ガイド用音声パケットのパケット識別子，および番組ガイド用文字パケットのパケット識別子を含むパケット情報からなる記述子をイベント情報テーブル（ＥＩＴ）に配置した番組配列情報とを受信するディジタル放送受信装置において、トランスポートストリームの信号を受信し、該信号のディジタル変調を復調し、ビット誤りを正す受信手段と、上記イベント情報テーブル（ＥＩＴ）から上記記述子を抽出して上記番組タイプ情報を識別し、上記パケット情報を解析して該パケット情報より，それぞれ上記番組ガイド用映像パケット，上記番組ガイド用音声パケットおよび上記番組ガイド用文字パケットを抽出する制御手段と、上記制御手段からの指示を受けて上記トランスポートストリームから上記イベント情報テーブル（ＥＩＴ）を抽出するトランスポートデコード手段と、抽出された番組ガイド用映像パケットの信号を映像に復号する番組ガイド用映像デコード手段と、抽出された番組ガイド用文字パケットの信号を文字に復号する番組ガイド用文字デコード手段と、上記番組ガイド用映像および上記番組ガイド用文字を配置して画面を作成する映像合成手段と、抽出された番組ガイド用音声パケットの信号を音声に復号する番組ガイド用音声デコード手段とを備えた構成としたから、送信側から送信される記述子を利用して、映像を含む番組ガイドを提供することができるので、視聴者は番組内容を的確に判断して所望の番組を選択することができ、番組提供者側においても宣伝効果のある的確な番組情報を提示することができる効果がある。
【００４５】
また、本発明（請求項４）にかかるディジタル放送受信装置によれば、請求項３に記載のディジタル放送受信装置において、上記制御手段により抽出された番組ガイド用映像パケット，番組ガイド用文字パケットおよび番組ガイド用音声パケットの信号を蓄える蓄積手段をさらに備えたものとしたから、視聴者が番組ガイドを見たいときに、即座に番組ガイドを提示することができる効果がある。
【００４６】
また、本発明（請求項５）にかかるディジタル放送受信装置によれば、請求項３に記載のディジタル放送受信装置において、上記制御手段は、任意の番組を購入あるいは予約する旨の選択があったとき、当該番組についての上記番組ガイド用映像パケット，上記番組ガイド用音声パケットおよび上記番組ガイド用文字パケットを抽出し、上記映像合成手段は、上記制御手段により抽出された番組ガイド用映像および番組ガイド用文字を表示画面に配置するものとしたから、視聴者は番組内容を的確に判断して無駄な番組を購入することを回避できる効果がある。
【００４７】
また、本発明（請求項６）にかかるディジタル放送受信装置によれば、請求項３に記載のディジタル放送受信装置において、上記映像合成手段は、時間軸およびチャンネル軸を有する複数の番組についての情報を記載した番組表を作成し、画面表示された上記番組表上で、任意の番組を選択することによって番組ガイドを表示するものとしたから、簡略化した操作で、映像を含む視聴者にとって番組内容を把握し易い番組ガイドを提供することができる効果がある。
【００４８】
また、本発明（請求項７）にかかるディジタル放送受信装置によれば、請求項６に記載のディジタル放送受信装置において、上記映像合成手段は、上記番組表表示画面の一部に上記番組ガイド用映像および上記番組ガイド用文字を配置するものとしたから、視聴者は番組表と番組ガイドとを同時に参照して、番組選択操作を容易にできる効果がある。
【図面の簡単な説明】
【図１】本発明の実施の形態１によるディジタル放送方法における送信側装置の構成の概略を示すブロック図である。
【図２】図１における番組配列情報生成部の構成を示すブロック図である。
【図３】本発明の実施の形態１によるディジタル放送方法において送信する番組配列情報のＥＩＴに配置するデータの構造を示す図である。
【図４】本発明の実施の形態１によるディジタル放送方法において送信するトランスポートストリームの構造を示す模式図である。
【図５】本発明の実施の形態１によるディジタル放送方法において用いる受信装置の構成を示すブロック図である。
【図６】図５に示すディジタル放送受信装置の動作処理を説明するためのフローチャート図である。
【図７】図５における映像表示部に表示される電子番組ガイドの一例を示す図である。
【図８】本発明の実施の形態３によるディジタル放送受信装置において表示される番組ガイドの例を示す図である。
【符号の説明】
１１    番組配列情報生成部
１２    番組ガイド用映像生成部
１３    番組ガイド用音声生成部
１４    番組ガイド用文字生成部
１５    番組用映像生成部
１６    番組用音声生成部
１７    多重化部
１８    変調器
１９    アンテナ
２１    promotion descriptor生成部
２２    その他のdescriptor生成部
２３    ＥＩＴ生成部
２４    その他のテーブル生成部
２５    ＳＩ多重化部
３１    promotion descriptor
３２    社団法人電波産業会の規格によるpromotion descriptor
３３    promotion type
３４    promotion PID
５１    受信部
５２    復調部
５３    ＦＥＣ部
５４    トランスポートデコード部
５５    制御部
５６    番組ガイド用映像デコード部
５７    番組ガイド用文字デコード部
５８    番組ガイド用音声デコード部
５９    映像合成部
６０    映像表示部
６１    音声出力部
６２    蓄積部
７１    番組ガイド用映像
７２    番組ガイド用文字
７３    番組ガイドのためのアイコン
【図１】
0004036307.tif 000002
【図２】
0004036307.tif 000003
【図３】
0004036307.tif 000004
【図４】
0004036307.tif 000005
【図５】
0004036307.tif 000006
【図６】
0004036307.tif 000007
【図７】
0004036307.tif 000008
【図８】
0004036307.tif 000009